(57)【要約】【課題】ＯＦＤＭ信号に指向性を設けて送信するシステムを適用した無線通信システムにおいて、ガードインターバルの長さを短くすることにより伝送速度を向上させること。【解決手段】ＧＩ挿入部１０５は、送信データにガードインターバルを挿入する。遅延付加部１０７−１、１０７−２は、送信データに遅延時間を設定する。到達時間算出部１１５は、各指向性の受信データより通信相手からデータが送信されて受信するまでの到達時間を指向性毎に求める。遅延時間決定部１１６は、２つの指向性にて送信される送信データの到達時間差を算出して、到達時間が小さい方の指向性にて送信する送信データに対して、算出した到達時間差を遅延時間として設定する。ＧＩ長決定部１１７は、求めた到達時間の内の最も小さい到達時間をガードインターバルとして設定する。【選択図】      図１
2004266350.tif 000002
【特許請求の範囲】
【請求項１】
送信データを送信してから通信相手が受信するまでの指向性毎の到達時間の情報を取得する到達時間情報取得手段と、前記到達時間の情報に基づいて決定した長さのガードインターバルを送信データに挿入するガードインターバル挿入手段と、前記到達時間の情報に基づいて前記指向性毎に送信データに送信遅延時間を設定する送信遅延手段と、同一の送信データを複数の前記指向性により送信する送信手段と、を具備することを特徴とする送信装置。
【請求項２】
前記到達時間情報取得手段は、第１指向性にて送信する送信データの第１到達時間の情報と第２指向性にて送信する送信データの前記第１到達時間より小さい第２到達時間の情報とを取得し、前記ガードインターバル挿入手段は、前記第２到達時間と同一の長さのガードインターバルを挿入し、前記送信遅延手段は、前記第２指向性にて送信する送信データの送信タイミングを、前記第１指向性にて送信する送信データの送信タイミングに対して前記第１到達時間と前記第２到達時間との差分だけ遅延させることを特徴とする請求項１記載の送信装置。
【請求項３】
前記送信手段は、前記指向性毎に異なるパイロット信号を送信し、前記到達時間情報取得手段は、パイロット信号を送信してから通信相手が当該パイロット信号を受信するまでの時間の情報を受信信号より抽出することにより前記到達時間の情報を取得することを特徴とする請求項１または請求項２記載の送信装置。
【請求項４】
前記請求項１から請求項３のいずれかに記載の送信装置を具備することを特徴とする基地局装置。
【請求項５】
前記請求項１から請求項３のいずれかに記載の送信装置を具備することを特徴とする通信端末装置。
【請求項６】
第１指向性にて送信データを送信してから通信相手が受信するまでの第１到達時間を取得するステップと、第２指向性にて送信データを送信してから通信相手が受信するまでの前記第１到達時間よりも小さい第２到達時間の情報を取得するステップと、前記第２到達時間と同一の長さのガードインターバルを送信データに挿入するステップと、前記第２指向性にて送信する送信データの送信タイミングを前記第１指向性にて送信する送信データの送信タイミングに対して前記第１到達時間と前記第２到達時間との差分だけ遅延させるステップと、同一の送信データを複数の前記指向性により送信するステップと、を具備することを特徴とする送信方法。
【発明の詳細な説明】
【０００１】
【発明の属する技術分野】
本発明は、送信装置及び送信方法に関し、例えばガードインターバルを挿入したデータをＯＦＤＭ方式にて送信する送信装置及び送信方法に関する。
【０００２】
【従来の技術】
移動体通信システムにおいて、ＯＦＤＭ方式が検討されている。ＯＦＤＭは、キャリア毎のシンボルレートが低いため、ＯＦＤＭを適用するだけでもマルチパスに強いが、ガードインターバルを導入することによりさらにマルチパスに強くなる。ガードインターバルは、シンボルデータの後の部分の波形を、そのシンボルデータの先頭にコピーすることで実現することができる。これにより、ＯＦＤＭ通信においては、ガードインターバル長よりも短い遅延波に対しては、信号を正しく受信することができる。ただし、ガードインターバルは、データ部としての役割は有していないため、できる限り短い方が伝送速度は向上する。
【０００３】
一方、ＯＦＤＭ信号に指向性を設けて送信するシステムも検討されている。指向性を設けて送信するシステムでは、基地局は移動局から到来する信号の到来方向に向けて指向性を向けて信号を送信する。到来方向が複数ある場合には、最も移動局からの受信電力が高い方向に送信したり、複数の指向性を向けてそれぞれの方向に送信したりする。このように複数の指向性を向けて送信された信号は、受信側にてパスダイバーシチ効果を得ることができるため、誤りの少ない良好な品質のデータを得ることができる。
【０００４】
しかし、複数の指向性にて送信された信号は、各経路における到来波には大きな遅延時間差を生じるため、単一の指向性にて送信する場合に比べて充分長いガードインターバルを送信データに挿入しておかないと、遅延時間差がガードインターバルの範囲を超えてしまう可能性がある（例えば、特許文献１参照。）。遅延時間差がガードインターバルの範囲を超えてしまうことがないように、データを送信してから通信相手が受信するまでの指向性毎の到達時間の中の最大の到達時間と同一の長さのガードインターバルを挿入して送信する方式がある。この方式によれば、各経路における到来波に大きな遅延時間差を生じる場合であっても、遅延時間差がガードインターバルの範囲内になるため、シンボル間干渉が生ずることはない。
【０００５】
【特許文献１】
特開平９−１８１６９９号公報
【０００６】
【発明が解決しようとする課題】
しかしながら、従来の送信装置及び送信方法においては、複数の指向性を向けてデータを送信する場合には、各指向性の到達時間の中の最大の到達時間と同一の長さのガードインターバルを挿入するので、常に最大の到達時間に合わせてガードインターバルを設計する必要があり、単一の指向性にて送信するシステムに比較して、ガードインターバルの長さが長くなってしまうという問題がある。
【０００７】
本発明はかかる点に鑑みてなされたものであり、ＯＦＤＭ信号に指向性を設けて送信するシステムを適用した無線通信システムにおいて、ガードインターバルの長さを短くすることにより伝送速度を向上させることができる送信装置及び送信方法を提供することを目的とする。
【０００８】
【課題を解決するための手段】
本発明の送信装置は、送信データを送信してから通信相手が受信するまでの指向性毎の到達時間の情報を取得する到達時間情報取得手段と、前記到達時間の情報に基づいて決定した長さのガードインターバルを送信データに挿入するガードインターバル挿入手段と、前記到達時間の情報に基づいて前記指向性毎に送信データに送信遅延時間を設定する送信遅延手段と、同一の送信データを複数の前記指向性により送信する送信手段と、を具備する構成を採る。
【０００９】
この構成によれば、データを受信した際の遅延時間差がガードインターバルの範囲内になるように、データを送信する際の遅延時間を指向性毎に設定するので、ガードインターバルの長さを短くすることができて伝送速度を向上させることができる。
【００１０】
本発明の送信装置は、前記構成において、前記到達時間情報取得手段は、第１指向性にて送信する送信データの第１到達時間の情報と第２指向性にて送信する送信データの前記第１到達時間より小さい第２到達時間の情報とを取得し、前記ガードインターバル挿入手段は、前記第２到達時間と同一の長さのガードインターバルを挿入し、前記送信遅延手段は、前記第２指向性にて送信する送信データの送信タイミングを、前記第１指向性にて送信する送信データの送信タイミングに対して前記第１到達時間と前記第２到達時間との差分だけ遅延させる構成を採る。
【００１１】
この構成によれば、前記効果に加えて、データを受信した際の遅延時間差がガードインターバルの範囲内になるように、第１指向性と第２指向性における送信タイミングを異ならせるので、ガードインターバルの長さを第１到達時間よりも小さい第２到達時間と同一にしてもシンボル間干渉を生じることがなく、ガードインターバルの長さを短くすることができて伝送速度を大幅に向上させることができる。
【００１２】
本発明の送信装置は、前記構成において、前記送信手段は、前記指向性毎に異なるパイロット信号を送信し、前記到達時間情報取得手段は、パイロット信号を送信してから通信相手が当該パイロット信号を受信するまでの時間の情報を受信信号より抽出することにより前記到達時間の情報を取得する構成を採る。
【００１３】
この構成によれば、前記効果に加えて、パイロット信号を送信する指向性とデータを送信する指向性が正確に一致するように調整することができるので、パイロット信号を用いて検出した到達時間の情報に基づいてガードインターバルの長さを決定することにより、誤差の少ない精度の良い長さのガードインターバルを挿入することができる。
【００１４】
本発明の基地局装置は、上記のいずれかの送信装置を具備する構成を採る。
【００１５】
この構成によれば、通信端末装置に遅延時間を調整するための回路が不要になって通信端末装置の回路を簡単な構成にすることができるので通信端末装置を小型化することができるとともに、ガードインターバルの長さを最も到達時間が大きい指向性の到達時間に合わせる必要がないので、ガードインターバルの長さを短くすることができて伝送速度を向上させることができる。
【００１６】
本発明の通信端末装置は、上記のいずれかの送信装置を具備する構成を採る。
【００１７】
この構成によれば、基地局装置に遅延時間を調整するための回路が不要になって基地局装置の回路を簡単な構成にすることができるので基地局装置を小型化することができるとともに、ガードインターバルの長さを最も到達時間が大きい指向性の到達時間に合わせる必要がないので、ガードインターバルの長さを短くすることができて伝送速度を向上させることができる。
【００１８】
本発明の送信方法は、第１指向性にて送信データを送信してから通信相手が受信するまでの第１到達時間を取得するステップと、第２指向性にて送信データを送信してから通信相手が受信するまでの前記第１到達時間よりも小さい第２到達時間の情報を取得するステップと、前記第２到達時間と同一の長さのガードインターバルを送信データに挿入するステップと、前記第２指向性にて送信する送信データの送信タイミングを前記第１指向性にて送信する送信データの送信タイミングに対して前記第１到達時間と前記第２到達時間との差分だけ遅延させるステップと、同一の送信データを複数の前記指向性により送信するステップと、を具備するようにした。
【００１９】
この方法によれば、データを受信した際の遅延時間差がガードインターバルの範囲内になるように、データを送信する際の遅延時間を指向性毎に設定するので、ガードインターバルの長さを短くすることができて伝送速度を向上させることができる。
【００２０】
【発明の実施の形態】
本発明の骨子は、データを送信してから通信相手が受信するまでの指向性毎の到達時間の情報に基づいて、ガードインターバルの長さと送信データを送信する際の指向性毎の遅延時間とを設定し、設定した長さのガードインターバルを送信データに挿入するとともに設定した遅延時間により同一の送信データを複数の指向性にて送信することである。
【００２１】
以下、本発明の実施の形態について、図面を参照して詳細に説明する。
【００２２】
（実施の形態１）
図１は、本実施の形態１に係る送信装置を備えた基地局装置１００の構成を示す図である。
【００２３】
変調部１０１は、送信データを変調してＳ／Ｐ変換部１０２へ出力する。
【００２４】
Ｓ／Ｐ変換部１０２は、変調部１０１から入力した送信データをシリアルデータの形式からパラレルデータの形式に変換してＩＦＦＴ部１０３へ出力する。
【００２５】
ＩＦＦＴ部１０３は、Ｓ／Ｐ変換部１０２から入力した送信データを逆高速フーリエ変換処理してＰ／Ｓ変換部１０４へ出力する。
【００２６】
Ｐ／Ｓ変換部１０４は、ＩＦＦＴ部１０３から入力した送信データをパラレルデータ形式からシリアルデータ形式へ変換してＧＩ挿入部１０５へ出力する。
【００２７】
ＧＩ挿入部１０５は、Ｐ／Ｓ変換部１０４から入力した送信データにＧＩ長決定部１１７にて決定した長さのガードインターバルを挿入してデータ複製部１０６へ出力する。
【００２８】
データ複製部１０６は、ＧＩ挿入部１０５から入力した送信データが２系列になるように複製して遅延付加部１０７−１、１０７−２へ出力する。送信データは、系統毎に異なる指向性にて送信されるものである。
【００２９】
遅延付加部１０７−１、１０７−２は、データ複製部１０６から入力した送信データに遅延時間決定部１１６にて決定した遅延時間を設定してウェイト乗算部１０８−１、１０８−２へ出力する。
【００３０】
送信手段であるウェイト乗算部１０８−１、１０８−２は、遅延付加部１０７−１、１０７−２から入力した送信データに、指向性受信部１１４から入力した所望波受信電力が最も大きい指向性の情報に基づいて重み付けして、２系統の送信データをアンテナの本数と同じ数の加算器１０９−１〜１０９−４へ各々出力する。
【００３１】
加算器１０９−１〜１０９−４は、ウェイト乗算部１０８−１、１０８−２から入力した２系統の送信データを加算して送信ＲＦ部１１０−１〜１１０−４へ出力する。
【００３２】
送信ＲＦ部１１０−１〜１１０−４は、加算器１０９−１〜１０９−４から入力した送信データをベースバンド周波数から無線周波数へアップコンバード等の処理を施して増幅して共用器１１１−１〜１１１−４へ出力する。
【００３３】
共用器１１１−１〜１１１−４は、送信ＲＦ部１１０−１〜１１０−４から入力した送信データをアンテナ１１２−１〜１１２−４から指向性送信するとともに、アンテナ１１２−１〜１１２−４にて受信した受信信号を受信ＲＦ部１１３−１〜１１３−４へ出力する。
【００３４】
受信ＲＦ部１１３−１〜１１３−４は、共用器１１１−１〜１１１−４から入力した受信データを無線周波数からベースバンド周波数へダウンコンバート等の処理を施して指向性受信部１１４へ出力する。
【００３５】
指向性受信部１１４は、受信ＲＦ部１１３−１〜１１３−４から入力した受信データを用いて２つの指向性を形成し、形成した指向性で受信処理を行う。そして、指向性受信した結果の中で所望波受信電力が最も大きい指向性を選択し、選択した指向性の情報をウェイト乗算部１０８−１、１０８−２へ出力する。また、指向性受信部１１４は、受信処理を行った後に受信データを到達時間算出部１１５へ出力する。
【００３６】
到達時間情報取得手段である到達時間算出部１１５は、指向性受信部１１４から入力した受信データより、通信相手が信号を送信してから基地局装置１００がその信号を受信するまでの到達時間を算出して、算出した到達時間の情報をＧＩ長決定部１１７と遅延時間決定部１１６へ出力する。
【００３７】
遅延時間決定部１１６は、到達時間算出部１１５から入力した２つの指向性の到達時間の情報に基づいて、各指向性にて送信する送信データの相対的な遅延時間（送信遅延時間）を決定する。遅延時間決定部１１６は、指向性毎に決定した遅延時間が設定されるように遅延付加部１０７−１、１０７−２を制御する。遅延時間は、２つの指向性の各到達時間の差と同一時間であり、到達時間が小さい方の指向性にて送信する送信データに設定される。
【００３８】
ＧＩ長決定部１１７は、到達時間算出部１１５から入力した到達時間の情報に基づいて、２つの指向性の到達時間の内で到達時間が小さい方を選択して、選択した到達時間の情報をＧＩ挿入部１０５へ出力する。
【００３９】
次に、指向性毎の遅延時間の設定方式について、図２〜図５を用いて説明する。
【００４０】
図２において、基地局装置１００は図１に示した構成を有しており、通信相手である移動局２０１は従来の一般的な移動局である。また、基地局装置１００から指向性Ａ（第１指向性）と指向性Ｂ（第２指向性）にて送信された同一のデータは、ビル等の反射物２０２、２０３により反射して移動局２０１に到達する。この場合、基地局装置１００から指向性Ａにて送信された送信データと指向性Ｂにて送信された送信データは、異なる到達時間Ｔａ（第１到達時間）、Ｔｂ（第２到達時間）（Ｔａ＞Ｔｂ）にて移動局２０１へ到達する。この場合において、基地局装置１００から指向性Ｂにて送信する送信データの送信タイミングを指向性Ａにて送信する送信データの送信タイミングよりもＴａ−Ｔｂだけ遅延させることにより、基地局装置１００から送信する送信データのガードインターバルの長さを到達時間が小さい指向性Ｂの到達時間Ｔｂにすることが可能である。即ち、移動局２０１にて受信される指向性Ａと指向性Ｂの受信データは、ガードインターバルの長さをＴｂにしても先行波に対する遅延波の遅延時間がガードインターバルよりも短くなるため、シンボル間干渉が生じることはない。以下にその理由を説明する。
【００４１】
図３及び図４は、図２の場合において、ガードインターバルをＴｂにした場合の送信タイミングと受信タイミングを示す図である。図３は、基地局装置における送信タイミングを示す図であり、図４は、移動局における受信タイミングを示す図である。図３及び図４において、横軸は時間である。
【００４２】
図３に示すように、基地局装置は、指向性Ａにて送信する送信データ３０１の送信タイミングに対して指向性Ｂにて送信する送信データ３０２の送信タイミングをＴａ−Ｔｂだけ遅延させる。即ち、指向性Ｂの送信データ３０２は、指向性Ａの送信データ３０１を送信する時刻Ｔｔ０からＴａ−Ｔｂだけ遅延した時刻Ｔｔ１に送信される。
【００４３】
そして、図４に示すように、指向性Ａにて送信された送信データ３０１は、時刻Ｔｒ０から到達時間Ｔａ経過して時刻Ｔｒ２に移動局に到達する。また、指向性Ｂにて送信された送信データ３０２は、時刻Ｔｒ０から到達時間Ｔｂ経過して移動局に到達するので、基地局装置にて設定した遅延時間Ｔａ−Ｔｂを加算すると、時刻Ｔｒ０から到達時間Ｔａ経過して時刻Ｔｒ２に移動局に到達する。
【００４４】
結局、指向性Ａにて送信した送信データ３０１と指向性Ｂにて送信した送信データ３０２とは同じ時刻Ｔｒ２に到達するので、指向性Ａのガードインターバルと指向性Ｂのガードインターバルは互いの遅延時間差がガードインターバルの範囲内を超えることがないため、送信データのガードインターバルの長さをＴｂにしてもシンボル間干渉を生じることはない。
【００４５】
このように、本実施の形態１の送信装置及び送信方法によれば、ＧＩ挿入部は、各指向性の到達時間の内の小さい方の到達時間をガードインターバルとして挿入するとともに、遅延付加部は、到達時間が小さい指向性にて送信する送信データを各指向性の到達時間の差分だけ遅延させるので、受信データの遅延時間差がガードインターバルの範囲を超えることがないためにシンボル間干渉を生じることがなく、ガードインターバルの長さを短くすることができて伝送速度を向上させることができる。また、本実施の形態１の送信装置及び送信方法によれば、遅延時間差がガードインターバルの範囲内になるように調整する回路が受信側に必要ないので、受信機の回路を極力簡単な構成にすることができて受信機を小型化することができる。
【００４６】
（実施の形態２）
図５は、本実施の形態２に係る送信装置を備えた基地局装置５００の構成を示す図であり、図６は、本実施の形態２に係る送信装置の通信相手である移動局６００の構成を示す図である。
【００４７】
本発明の実施の形態２に係る基地局装置５００は、図１に示す本発明の実施の形態１に係る基地局装置１００において、変調部５０１及び変調部５０２を追加し、且つ、到達時間算出部１１５の代わりに受信タイミング情報抽出部５０３を有している。なお、図１と同一構成である部分は同一の符号を付してその説明は省略する。
【００４８】
最初に、基地局装置５００の構成について説明する。
【００４９】
変調部５０１は、パイロット信号１を変調してウェイト乗算部１０８−１、１０８−２へ出力する。
【００５０】
変調部５０２は、パイロット信号２を変調してウェイト乗算部１０８−１、１０８−２へ出力する。パイロット信号１とパイロット信号２は、各々異なるビットパターンを有するパイロット信号である。なお、パイロット信号は、各々異なるビットパターンを有する場合に限らず、パイロット信号とデータとの区別ができれば任意の異なるパイロット信号にすることができる。
【００５１】
到達時間情報手段である受信タイミング情報抽出部５０３は、指向性受信部１１４から入力した受信データより指向性毎の受信タイミング情報（到達時間の情報）を抽出してＧＩ長決定部１１７と遅延時間決定部１１６へ出力する。受信タイミング情報は、パイロット信号１とパイロット信号２を異なる指向性にて同時に送信して、通信相手がパイロット信号１とパイロット信号２を受信するタイミングの情報である。
【００５２】
次に、移動局６００の構成について、図６を用いて説明する。
【００５３】
アンテナ６０１は、複数の指向性の受信データを共用器６０２へ出力するとともに共用器６０２から出力された送信データを送信する。アンテナ６０１にて受信する受信データは、基地局装置５００から送信されたパイロット信号１とパイロット信号２を含んでいる。また、アンテナ６０１にて送信する送信データは、パイロット信号１の受信タイミングとパイロット信号２の受信タイミングとの差分の情報である受信タインミング情報を含んでいる。
【００５４】
共用器６０２は、受信データと送信データを分離するものであり、アンテナ６０１にて受信した受信データを無線受信部６０３へ出力するとともに、無線送信部６０７から入力した送信データをアンテナ６０１より送信する。
【００５５】
無線受信部６０３は、共用器６０２から入力した受信データを無線周波数からベースバンド周波数へダウンコンバート等して復調部６０４へ出力する。
【００５６】
復調部６０４は、無線受信部６０３から入力した受信データを復調して受信データを得るとともに復調結果を受信タイミング検出部６０５へ出力する。
【００５７】
受信タイミング検出部６０５は、無線受信部６０３から入力した受信データよりパイロット信号１の指向性とパイロット信号２の指向性における受信タイミングを検出し、検出した指向性毎の受信タイミング情報を変調部６０６へ出力する。
【００５８】
変調部６０６は、受信タイミング検出部６０５から入力した受信タイミング情報を含む送信データを変調して無線送信部６０７へ出力する。
【００５９】
無線送信部６０７は、変調部６０６から入力した送信データをベースバンド周波数から無線周波数へアップコンバート等して共用器６０２へ出力する。
【００６０】
次に、基地局装置５００と移動局６００の動作について、図２、図５及び図６を用いて説明する。
【００６１】
パイロット信号１とパイロット信号２は、変調部５０１、５０２にて変調されてウェイト乗算部１０８−１、１０８−２にて重み付けされた後に、異なる指向性にて同時に送信される。この時に、基地局装置５００は、パイロット信号１は指向性Ａにて送信し、パイロット信号２は指向性Ｂにて送信する。
【００６２】
次に、パイロット信号１とパイロット信号２を受信した移動局６００は、受信タイミング検出部６０５にて指向性Ａと指向性Ｂについての受信タイミングを検出して、検出した受信タイミング情報を送信データに含めて基地局装置５００へ送信する。受信タイミング情報を含む受信データを受信した基地局装置５００は、受信タイミング情報抽出部５０３にて受信データより受信タイミング情報を抽出し、ＧＩ長決定部１１７にて各指向性における最大遅延時間の内の最も小さい指向性Ｂの最大遅延時間をＧＩ長として選択して、ＧＩ挿入部１０５にて指向性Ｂの遅延時間と同一時間のガードインターバルを指向性Ａと指向性Ｂにて送信する送信データに挿入する。また、遅延付加部１０７−１、１０７−２は、受信タイミング情報より指向性Ｂの送信データについて、指向性Ａの送信データの送信時刻Ｔｔ０からＴａ−Ｔｂの遅延時間を設定し、指向性Ａ及び指向性Ｂにて送信データを送信する。なお、ガードインターバルの設定方法及び送信データの遅延時間の設定方法については、上記実施の形態１と同一であるので、詳細な説明は省略する。
【００６３】
このように、本実施の形態２の送信装置及び送信方法によれば、上記実施の形態１の効果に加えて、移動局が指向性を向けて送信するものでない場合でも、基地局装置から送信したパイロット信号の移動局における受信タイミングに基づいて指向性毎の到達時間が分かるので、移動局の回路構成を簡単にすることができて移動局を小型化することができる。また、本実施の形態２の送信装置及び送信方法によれば、パイロット信号を送信する指向性とデータを送信する指向性が正確に一致するように調整することができるので、パイロット信号を用いて検出した到達時間の情報に基づいてガードインターバルの長さを決定することにより、誤差の少ない精度の良い長さのガードインターバルを挿入することができる。
【００６４】
なお、上記実施の形態１及び実施の形態２においては、指向性Ａと指向性Ｂの２つの指向性にて同一の送信データを送信することとしたが、これに限らず、３つ以上の指向性にて同一の送信データを送信するようにしても良い。この場合、全ての指向性にて送信する送信データに挿入するガードインターバルを到達時間が最も小さい指向性の到達時間と同一にしても、シンボル間干渉を生じることはない。
【００６５】
また、上記実施の形態１及び実施の形態２においては、同一の送信データを異なる指向性にて送信することとしたが、これに限らず、異なる送信データを異なる指向性にて送信するようにしても良い。また、上記実施の形態１及び実施の形態２においては、移動局は指向性を向けて送信するものでない場合について説明したが、これに限らず、移動局も指向性を向けて送信するようにしても良い。
【００６６】
また、上記実施の形態１及び実施の形態２においては、送信データはウェイト乗算部にて重み付けされて指向性を向けて送信されることとしたが、これに限らず、送信データは重み付けされずに指向性を向けて送信されるようにしても良い。
【００６７】
【発明の効果】
以上説明したように、本発明によれば、ＯＦＤＭ信号に指向性を設けて送信するシステムを適用した無線通信システムにおいて、ガードインターバルの長さを短くすることにより伝送速度を向上させることができる。
【図面の簡単な説明】
【図１】本発明の実施の形態１に係る基地局装置の構成を示すブロック図
【図２】基地局装置から移動局へ信号を指向性送信する状態を説明する模式図
【図３】ガードインターバルがＴｂの場合の送信タイミングを示す図
【図４】ガードインターバルがＴｂの場合の受信タイミングを示す図
【図５】本発明の実施の形態２に係る基地局装置の構成を示すブロック図
【図６】本発明の実施の形態２に係る移動局の構成を示すブロック図
【符号の説明】
１０３  ＩＦＦＴ部
１０５  ＧＩ挿入部
１０６  データ複製部
１０７−１、１０７−２  遅延付加部
１０８−１、１０８−２  ウェイト乗算部
１１４  指向性受信部
１１５  遅延時間算出部
１１６  遅延時間決定部
【図１】
2004266350.tif 000003
【図２】
2004266350.tif 000004
【図３】
2004266350.tif 000005
【図４】
2004266350.tif 000006
【図５】
2004266350.tif 000007
【図６】
2004266350.tif 000008